(57)【要約】【課題】外科手術処置に対して組織を封鎖するかまたは溶解するために用いられる電気外科器具を提供すること。【解決手段】組織を封鎖するために器具と共に用いるエンドエフェクタアセンブリであって、エンドエフェクタアセンブリは、一対の向かい合うジョー部材であって、それらの間に組織を把持するように構成され、少なくとも１つのジョー部材は、封鎖プロセス中、ジョー部材間に配置された組織を封鎖するために電気外科エネルギーの供給源に接続するように適合される、一対の向かい合うジョー部材と、アクチベータであって、少なくとも１つのジョー部材に連結され、封鎖プロセス中、少なくとも１つのジョー部材に機械的摂動を選択可能に与えるように構成される、アクチベータとを備えている、エンドエフェクタアセンブリ。【選択図】図１
2012239899.tif 000002
【特許請求の範囲】
【請求項１】
組織を封鎖するために器具と共に用いるエンドエフェクタアセンブリであって、該エンドエフェクタアセンブリは、
一対の向かい合うジョー部材であって、該ジョー部材は、それらの間に組織を把持するように構成され、少なくとも１つのジョー部材は、封鎖プロセス中、ジョー部材間に配置された組織を封鎖するために電気外科エネルギーの供給源に接続するように適合される、一対の向かい合うジョー部材と、
アクチベータであって、少なくとも１つのジョー部材に連結され、該封鎖プロセス中、少なくとも１つのジョー部材に機械的摂動を選択可能に与えるように構成される、アクチベータと
を備えている、エンドエフェクタアセンブリ。
【請求項２】
前記アクチベータは、前記少なくとも１つのジョー部材を通って規定される長手方向軸に沿う、該少なくとも１つのジョー部材の前進および／または後退の動きによって引き起される剪断力を提供する、請求項１に記載のエンドエフェクタアセンブリ。
【請求項３】
前記アクチベータは、トランスデューサであり、該トランスデューサは、前記封鎖プロセス中、超音波を提供して、前記少なくとも１つのジョー部材に機械的摂動を与える、請求項１に記載のエンドエフェクタアセンブリ。
【請求項４】
前記アクチベータは、前記少なくとも１つのジョー部材に磁気的に連結される、請求項１に記載のエンドエフェクタアセンブリ。
【請求項５】
前記アクチベータは、前記少なくとも１つのジョー部材に機械的に連結される、請求項１に記載のエンドエフェクタアセンブリ。
【請求項６】
少なくとも１つのシャフトであって、該少なくとも１つのシャフトは、該シャフトの遠位端においてエンドエフェクタアセンブリを支持し、該エンドエフェクタアセンブリは、一対の向かい合うジョー部材を含み、該ジョー部材のうちの少なくとも１つは、それらの間に組織を把持するために他方に対して可動であり、該ジョー部材のうちの少なくとも１つは、封鎖プロセス中、ジョー部材間に配置される組織を封鎖するために電気外科エネルギーの供給源に接続するように適合される、シャフトと、
アクチベータであって、少なくとも１つのジョー部材に連結され、該封鎖プロセス中、該少なくとも１つのジョー部材に機械的摂動を選択可能に与えるように構成される、アクチベータと
を備えている、電気外科器具。
【請求項７】
前記アクチベータは、前記少なくとも１つのジョー部材を通って規定される長手方向軸に沿う、該少なくとも１つのジョー部材の前進および／または後退の動きによって引き起される剪断力を提供する、請求項６に記載の電気外科器具。
【請求項８】
前記アクチベータは、トランスデューサであり、該トランスデューサは、前記封鎖プロセス中、超音波を提供して、前記少なくとも１つのジョー部材に機械的摂動を与える、請求項６に記載の電気外科器具。
【請求項９】
前記アクチベータに連結されるアクチュエータをさらに備えている、請求項６に記載の電気外科器具。
【請求項１０】
前記アクチュエータは、モータである、請求項９に記載の電気外科器具。
【請求項１１】
前記アクチュエータは、電磁石である、請求項９に記載の電気外科器具。
【請求項１２】
前記アクチュエータは、前記アクチベータに機械的に連結される、請求項９に記載の電気外科器具。
【請求項１３】
前記アクチュエータは、前記アクチベータに磁気的に連結される、請求項９に記載の電気外科器具。
【請求項１４】
前記アクチュエータは、前記アクチベータに電気的に連結される、請求項９に記載の電気外科器具。
【発明の詳細な説明】
【技術分野】
【０００１】
（背景）
（１．技術分野）
本開示は、開放および内視鏡の外科手術処置に対して組織を封鎖するかまたは溶解するために用いられる電気外科器具に関する。より詳細には、本開示は、電気外科処置中、脈管壁を破壊しコラーゲンおよびエラスチンの抽出を容易にするために機械的振動および／または音響振動を加えることによって、脈管、脈管組織および軟組織を封鎖する双極鉗子に関する。
【背景技術】
【０００２】
（２．関連技術の背景）
開放または内視鏡の外科手術鉗子は、止血を達成するために機械的クランプ締め動作および電気的エネルギーの両方を利用する。各向かい合うジョー部材の電極は、ジョー部材が組織を把持したとき、電気エネルギーが組織を通って選択可能に転送され得るように、異なる電位に帯電させられる。外科医は、電極と通過組織との間に加えられる電気外科エネルギーの強度、周波数および継続時間を制御することによって、出血を焼灼し、凝固／乾燥させ、かつ／または単に減少させるかもしくは遅くし得る。
【０００３】
特定の外科手術処置は、単に組織を焼灼すること以上のことを必要とし、組織、脈管および特定の脈管束を「封鎖する」ために、クランプ締め圧力、電気外科エネルギーおよび間隙距離の組み合わせに頼る。より詳細には、脈管封鎖または組織封鎖は、２つの向かい合うジョー部材または封鎖プレート間の組織を効果的に封鎖するかまたは溶解するために、無線周波数（ＲＦ）エネルギー、クランプ締め圧力および間隙距離（すなわち、組織の周りに閉じられた場合、向かい合うジョー部材間の距離）の正確な制御の固有の組み合わせを利用する。脈管または組織の封鎖は、「焼灼」以上であり、「焼灼」は、組織を破壊するために熱を用いること（「ジアテルミー」または「電気ジアテルミー」とも呼ばれる）を伴う。脈管封鎖もまた、「凝固」以上であり、「凝固」は、組織を乾燥させるプロセスであり、この場合、組織細胞は、破裂させられ乾燥させられる。「脈管封鎖」は、組織が、向かい合う組織構造間に有意に減少させられた境界を有する溶解した質量に改質するように、組織におけるコラーゲン、エラスチンおよび基質を液化するプロセスとして定義される。
【０００４】
エネルギーベースの脈管封鎖は、いくつのステップからなる。脈管封鎖処置中、向かい合う脈管壁は近づくように一緒に動かされる。次いで、通常、脈管壁の接着を防ぐ脈管壁の内層が破壊される。エラスチンおよびコラーゲンは、脈管を封鎖するために、解放され、混合され、エネルギーに露出される。脈管壁を一緒に動かし、脈管壁の内層を破壊し、コラーゲンを解放し混合することは、ジョー間の脈管を加圧することによって従来から達成されている。脈管壁の内層の破壊は、有意の量の力の印加を必要とする。脈管が組織の比較的厚い層内に位置をしている場合、有意の量の力は、封鎖が完了する前に上部組織層を損傷し得るかまたは切断さえし得る。
【発明の概要】
【課題を解決するための手段】
【０００５】
（概要）
本開示の一実施形態において、エンドエフェクタアセンブリが提供される。エンドエフェクタアセンブリは、一対の向かい合うジョー部材であって、それらの間に組織を把持するように構成される、ジョー部材を含み、少なくとも１つのジョー部材は、封鎖プロセス中、ジョー部材間に配置された組織を効果的に封鎖するために電気外科エネルギーの供給源に接続するように適合される。ジョー部材のうちの少なくとも１つは、封鎖プロセス中、少なくとも１つのジョー部材に機械的摂動を選択可能に与えるように構成されるアクチベータを含む。
【０００６】
本開示の別の実施形態において、組織を封鎖する電気外科器具が提供される。電気外科器具は、少なくとも１つのシャフトであって、少なくとも１つのシャフトは、シャフトの遠位端においてエンドエフェクタアセンブリを支持し、エンドエフェクタアセンブリは、一対の向かい合うジョー部材を含み、ジョー部材のうちの少なくとも１つは、それらの間に組織を把持するために他方に対して可動であり、ジョー部材のうちの少なくとも１つは、封鎖プロセス中、ジョー部材間に配置される組織を効果的に封鎖するために電気外科エネルギーの供給源に接続するように適合される。ジョー部材のうちの少なくとも１つは、封鎖プロセス中、少なくとも１つのジョー部材に機械的摂動を選択可能に与えるように構成されるアクチベータを含む。
【０００７】
本開示のさらに別の実施形態において、一対の向かい合うジョー部材を有するエンドエフェクタアセンブリを用いて組織を封鎖する方法が提供され、少なくとも１つのジョー部材は、少なくとも１つのジョー部材に機械的摂動を与えるように構成される部材を有する。方法は、一対の向かい合うジョー部材間に組織を把持することと、アクチベータを作動させて、少なくとも１つのジョー部材を動かすことと、電気外科エネルギーを適用して、ジョー部材間に配置される組織を封鎖することとを含む。
【０００８】
アクチベータは、長手方向軸に沿う少なくとも１つのジョー部材の前進および／または後退の動きによって引き起こされる剪断力を提供し得る。あるいは、アクチベータは、トランスデューサであり得、トランスデューサは、超音波を提供して、少なくとも１つのジョー部材に機械的摂動を与える。
【０００９】
例えば、本発明は以下の項目を提供する。
（項目１）
組織を封鎖するために器具と共に用いるエンドエフェクタアセンブリであって、該エンドエフェクタアセンブリは、
一対の向かい合うジョー部材であって、該ジョー部材は、それらの間に組織を把持するように構成され、少なくとも１つのジョー部材は、封鎖プロセス中、ジョー部材間に配置された組織を封鎖するために電気外科エネルギーの供給源に接続するように適合される、一対の向かい合うジョー部材と、
アクチベータであって、少なくとも１つのジョー部材に連結され、該封鎖プロセス中、少なくとも１つのジョー部材に機械的摂動を選択可能に与えるように構成される、アクチベータと
を備えている、エンドエフェクタアセンブリ。
（項目２）
上記アクチベータは、上記少なくとも１つのジョー部材を通って規定される長手方向軸に沿う、該少なくとも１つのジョー部材の前進および／または後退の動きによって引き起される剪断力を提供する、上記項目のいずれかに記載のエンドエフェクタアセンブリ。
（項目３）
上記アクチベータは、トランスデューサであり、該トランスデューサは、上記封鎖プロセス中、超音波を提供して、上記少なくとも１つのジョー部材に機械的摂動を与える、上記項目のいずれかに記載のエンドエフェクタアセンブリ。
（項目４）
上記アクチベータは、上記少なくとも１つのジョー部材に磁気的に連結される、上記項目のいずれかに記載のエンドエフェクタアセンブリ。
（項目５）
上記アクチベータは、上記少なくとも１つのジョー部材に機械的に連結される、上記項目のいずれかに記載のエンドエフェクタアセンブリ。
（項目６）
少なくとも１つのシャフトであって、該少なくとも１つのシャフトは、該シャフトの遠位端においてエンドエフェクタアセンブリを支持し、該エンドエフェクタアセンブリは、一対の向かい合うジョー部材を含み、該ジョー部材のうちの少なくとも１つは、それらの間に組織を把持するために他方に対して可動であり、該ジョー部材のうちの少なくとも１つは、封鎖プロセス中、ジョー部材間に配置される組織を封鎖するために電気外科エネルギーの供給源に接続するように適合される、シャフトと、
アクチベータであって、少なくとも１つのジョー部材に連結され、該封鎖プロセス中、該少なくとも１つのジョー部材に機械的摂動を選択可能に与えるように構成される、アクチベータと
を備えている、電気外科器具。
（項目７）
上記アクチベータは、上記少なくとも１つのジョー部材を通って規定される長手方向軸に沿う、該少なくとも１つのジョー部材の前進および／または後退の動きによって引き起される剪断力を提供する、上記項目のいずれかに記載の電気外科器具。
（項目８）
上記アクチベータは、トランスデューサであり、該トランスデューサは、上記封鎖プロセス中、超音波を提供して、上記少なくとも１つのジョー部材に機械的摂動を与える、上記項目のいずれかに記載の電気外科器具。
（項目９）
上記アクチベータに連結されるアクチュエータをさらに備えている、上記項目のいずれかに記載の電気外科器具。
（項目１０）
上記アクチュエータは、モータである、上記項目のいずれかに記載の電気外科器具。
（項目１１）
上記アクチュエータは、電磁石である、上記項目のいずれかに記載の電気外科器具。
（項目１２）
上記アクチュエータは、上記アクチベータに機械的に連結される、上記項目のいずれかに記載の電気外科器具。
（項目１３）
上記アクチュエータは、上記アクチベータに磁気的に連結される、上記項目のいずれかに記載の電気外科器具。
（項目１４）
上記アクチュエータは、上記アクチベータに電気的に連結される、上記項目のいずれかに記載の電気外科器具。
（項目１５）
組織を封鎖する方法であって、
エンドエフェクタアセンブリを提供することであって、該エンドエフェクタアセンブリは、一対の向かい合うジョー部材であって、それらの間に配置される組織を把持するために互いに対して可動であるジョー部材を有し、少なくとも１つのジョー部材は、該ジョー部材に配置されるアクチベータを含む、ことと、
該一対の向かい合うジョー部材の間に組織を把持することと、
該アクチベータを作動させて、該少なくとも１つのジョー部材に機械的摂動を与えることと、
電気外科エネルギーを適用して、該ジョー部材間に配置される該組織を封鎖することと
を包含する、方法。
（項目１６）
上記アクチベータを作動させることは、上記少なくとも１つのジョー部材を通って規定される長手方向軸に沿って該少なくとも１つのジョー部材を動かす、上記項目のいずれかに記載の方法。
（項目１７）
上記アクチベータを作動させることは、上記アクチベータに超音波を上記少なくとも１つのジョー部材に提供させて、該少なくとも１つのジョー部材の周期的な動きを引き起こす、上記項目のいずれかに記載の方法。
【００１０】
（摘要）
電気外科器具と共に用いるエンドエフェクタアセンブリが提供される。エンドエフェクタアセンブリは、一対の向かい合うジョー部材であって、それらの間に組織を把持するように構成される、ジョー部材を含み、少なくとも１つのジョー部材は、封鎖プロセス中、ジョー部材間に配置された組織を封鎖するために電気外科エネルギーの供給源に接続するように適合される。ジョー部材のうちの少なくとも１つは、封鎖プロセス中、少なくとも１つのジョー部材に機械的摂動を選択可能に与えるように構成されるアクチベータを含む。
【００１１】
本開示されるシステムおよび方法の目的および特徴は、このシステムおよび方法の様々な実施形態の説明が添付の図面を参照して読まれると、当業者に明らかとなる。
【図面の簡単な説明】
【００１２】
【図１】図１は、ハウジングと、シャフトと、シャフトの遠位端に取り付けられた一対のジョー部材とを有する内視鏡双極鉗子の右斜視図であり、ジョー部材はそれらの間に配置された電極アセンブリを含む。
【図２】図２は、開放双極鉗子の左斜視図であり、一対の第１および第２のシャフトであって、その各々がシャフトの遠位端に取り付けられたジョー部材を有し、それらのジョー部材間に電極アセンブリが配置される、第１および第２のシャフトを示す。
【図３】図３は、本開示の一実施形態に従う一対のジョー部材を有するエンドエフェクタアセンブリの概略図である。
【図４】図４は、本開示の別の実施形態に従う一対のジョー部材を有するエンドエフェクタアセンブリの概略図である。
【発明を実施するための形態】
【００１３】
（詳細な説明）
本開示の特定の実施形態は、添付の図面を参照して本明細書おいて以下に説明されるが、開示される実施形態は、単なる本開示の実施例であり、様々な形態で実施され得る。周知の機能または構造は、不要な詳細で本開示を不明瞭にすることを避けるために説明されない。従って、本明細書において開示される特定の構造および機能の詳細は、限定することとして解釈されるべきではなく、単に、特許請求の範囲の基礎および事実上任意の適切な詳細構造で本開示を様々に用いるように当業者に教示する代表的な基礎として解釈されるべきである。類似の参照数字は、図の説明全体を通じて類似するかまたは同一の要素を参照し得る。
【００１４】
電磁エネルギーは、概して、周波数を増加させるかまたは波長を減少させることによって、電波、マイクロ波、赤外線、可視光線、紫外線、Ｘ線およびガンマ線に分類される。本明細書において用いられる場合、用語「マイクロ波」は、概して、３００メガヘルツ（ＭＨｚ）（３×１０８サイクル／秒）〜３００ギガヘルツ（ＧＨｚ）（３×１０１１サイクル／秒）の周波数範囲における電磁波をいう。本明細書において用いられる場合、用語「ＲＦ」は、概してマイクロ波より低い周波数を有する電磁波をいう。本明細書において用いられる場合、用語「超音波」は、概して、人間の聴力の上限より大きい周波数を有する周期的音圧をいう。用語「組織」および「脈管」は、互いに交換可能に用いられ得る。なぜなら、本明細書において説明される同じ原理を利用して、本開示が組織を封鎖および切断し、脈管を封鎖および切断するために用いられ得ると考えられるからである。
【００１５】
添付の図を参照してより詳細に以下に説明されるように、本開示は、脈管壁を破壊しコラーゲンおよびエラスチンの放出を強化するために、機械的振動または音響振動を用いることに関する。
【００１６】
ここで図１および図２を参照すると、図１は、内視鏡外科手術処置に関連して用いられる双極鉗子１０を描き、図２は、従来の開放外科手術処置に関連して用いられるように企図される開放鉗子１００を描く。本明細書における目的のために、内視鏡器具または開放器具のどちらでも、本明細書に説明される電極アセンブリと共に利用され得る。異なる電気的および機械的な接続および考慮が各特定のタイプの器具に適用され得るが、電極アセンブリに関する局面およびその動作特性は、概して開放または内視鏡の設計の両方に関して一致したままである。
【００１７】
図１は、様々な内視鏡外科手術処置と共に用いる双極鉗子１０を示し、双極鉗子１０は、概して、ハウジング２０と、ハンドルアセンブリ３０と、回転アセンブリ８０と、ナイフアクチュエータ７０と、向かい合うジョー部材１１０および１２０を有する電極アセンブリ１０５とを含み、ジョー部材１１０および１２０は、互いに協働して管状脈管および脈管組織を把持し、封鎖し、分割する。ジョー部材１１０および１２０は、旋回ピン１９の周りに接続され、旋回ピン１９は、ジョー部材１１０および１２０が組織を治療するために第１の位置から第２の位置まで互いに対して旋回することを可能にする。より詳細には、鉗子１０は、シャフト１２を含み、シャフト１２は、電極アセンブリ１０５を機械的に係合するように構成される遠位端１６と、ハウジング２０を機械的に係合する近位端１４とを有する。シャフト１２は、１つ以上の適切な機械的に係合する構成要素を含み得、１つ以上の適切な機械的に係合する構成要素は、ジョー部材１１０および１２０がそれらの間に組織を係合し把持するため、互いに対して旋回可能であるように電極アセンブリ１０５を確実に受け取り係合するように設計される。
【００１８】
シャフト１２の近位端１４は、回転アセンブリ８０を機械的に係合して、電極アセンブリ１０５の回転を容易にする。図面およびそれらに続く説明において、用語「近位」は、従来のように、ユーザにより近い、鉗子１０の端部をいい、一方、用語「遠位」は、ユーザからより遠くにある端部をいう。シャフト１２および回転アセンブリ８０の機械的に協働する構成要素に関する詳細は、２００３年６月１３日に出願され、表題が「ＶＥＳＳＥＬ  ＳＥＡＬＥＲ  ＡＮＤ  ＤＩＶＩＤＥＲ  ＦＯＲ  ＵＳＥ  ＷＩＴＨ  ＳＭＡＬＬ  ＴＲＯＣＡＲＳ  ＡＮＤ  ＣＡＮＮＵＬＡＳ」である、同一出願人所有の米国特許出願第１０／４６０，９２６号（現在、米国特許第７，１５６，８４６号）に説明されている。
【００１９】
ハンドルアセンブリ３０は、固定ハンドル５０と、可動ハンドル４０とを含む。より詳細に以下に説明されるように、固定ハンドル５０は、ハウジング２０と一体に関連付けられ、ハンドル４０は、電極アセンブリ１０５の向かい合うジョー部材１１０および１２０を作動させるように固定ハンドル５０に対して可動である。可動ハンドル４０およびナイフアクチュエータ７０は、単体構造であり、組み立て工程中にハウジング２０および固定ハンドル５０に動作可能に接続される。ハウジング２０は、組み立て工程中にシャフト１２の近位端１４の周りに組み立てられる２つの構成要素半分２０ａおよび２０ｂから構成される。スイッチアセンブリ２００は、電気エネルギーを電極アセンブリ１０５に選択可能に提供するように構成される。
【００２０】
上記に言及されたように、電極アセンブリ１０５は、シャフト１２の遠位端１６に取り付けられ、向かい合うジョー部材１１０および１２０を含む。ハンドルアセンブリ３０の可動ハンドル４０は、ジョー部材１１０および１２０が互いに対して間隔を空けた関係で配置される開放位置からジョー部材１１０および１２０がそれらの間に組織を把持するように協働するクランプ締め位置または閉鎖位置までのジョー部材１１０および１２０を動きを与える。
【００２１】
ここで図２を参照すると、開放鉗子１００は、一対の細長いシャフト部分１１２ａおよび１１２ｂを含み、細長いシャフト部分１１２ａは近位端１１４ａと遠位端１１６ａとを有し、細長いシャフト部分１１２ｂは近位端１１４ｂと遠位端１１６ｂとを有する。鉗子１００は、ジョー部材１２０および１１０を含み、ジョー部材１２０はシャフト１１２ａの遠位端１１６ａに取り付けられ、ジョー部材１１０はシャフト１１２ｂの遠位端１１６ｂに取り付けられる。ジョー部材１１０および１２０は、旋回ピン１１９の周りに接続され、旋回ピン１１９は、ジョー部材１１０および１２０が組織を治療するために第１の位置から第２の位置まで互いに対して旋回することを可能にする。電極アセンブリ１０５は、向かい合うジョー部材１１０および１２０に接続され、旋回ピン１１９を介するかまたは旋回ピン１１９の周りに電気的接続を含み得る。ジョー部材との様々な電気的接続の実施例は、同一出願人所有の米国特許出願第１０／４７４,１７０号（現在、米国特許第７，５８２，０８７号）、第１０／２８４，５６２号（現在、米国特許第７，２６７，６７７号）、第１０／４７２，２９５号（現在、米国特許第７，１０１，３７２号）、第１０／１１６，９４４号（現在、米国特許第７，０８３，６１８号）および第１０／１７９，８６３号（現在、米国特許第７，１０１，３７１号）に示されている。
【００２２】
シャフト１１２ａはシャフト１１２ａの近位端１１４ａに配置されるハンドル１１７ａを含み、ハンドル１１７ａはユーザの指を受け取る指穴１１８ａを規定し、シャフト１１２ｂはシャフト１１２ｂの近位端１１４ｂに配置されるハンドル１１７ｂを含み、ハンドル１１７ｂはユーザの指を受け取る指穴１１８ｂを規定する。理解され得るように、指穴１１８ａおよび１１８ｂは、シャフト１１２ａおよび１１２ｂの互いに対する動きを容易にし、このことは、次いでジョー部材１１０および１２０が互いに対して間隔を空けた関係で配置される開放位置からジョー部材１１０および１２０がそれらの間に組織を把持するように協働するクランプ締め位置または閉鎖位置までジョー部材１１０および１２０を旋回させる。旋回中、様々な位置に互いに対してジョー部材１１０および１２０を選択可能にロックするために、ラチェット１３０が含まれ得る。
【００２３】
より詳細には、ラチェット１３０は、シャフト１１２ａに関連付けられる第１の機械的インターフェイス１３０ａと、シャフト１１２ｂに関連付けられる第２の嵌合する機械的インターフェイス１３０ｂとを含む。協働するラチェットインターフェイス１３０ａおよび１３０ｂに関連付けられる各位置は、シャフト部材１１２ａおよび１１２ｂにおける特定のすなわち一定のひずみエネルギーを保持し、このことは、次いで特定の閉鎖する力をジョー部材１１０および１２０に伝える。ラチェット１３０は、目盛または他の視覚マーキングを含み得、それらは、ジョー部材１１０と１２０との間における所望の閉鎖力の量をユーザが容易にかつ迅速に確認し制御することを可能にする。
【００２４】
図２に最も良く見られるように、鉗子１００はまた、電気インターフェイスまたはプラグ２００を含み、電気インターフェイスまたはプラグ２００は、例えば、図１に示される発電機５００と類似した電気外科発電機などの電気外科エネルギーの供給源に鉗子１００を接続する。プラグ２０２は、少なくとも２つのプロング部材２０２ａおよび２０２ｂを含み、２つのプロング部材２０２ａおよび２０２ｂは、鉗子１００を電気外科発電機５００（図１を参照されたい）に機械的かつ電気的に接続するように寸法設定される。電気ケーブル２１０はプラグ２０２から延び、ケーブル２１０は鉗子１００に確実に接続する。ケーブル２１０は、シャフト１１２ｂ内において内部的に分割され、様々な電気供給経路を通って電極アセンブリ１０５に電気外科エネルギーを伝える。
【００２５】
例えば１１２ｂなどのシャフトのうちの１つは、近位シャフトコネクタ／フランジ１４０を含み、近位シャフトコネクタ／フランジ１４０は、電気外科発電機５００などの電気外科エネルギーの供給源に鉗子１００を接続するように設計される。より詳細には、フランジ１４０は、ユーザが必要に応じて選択可能に電気外科エネルギーを加え得るように電気外科ケーブル２１０を鉗子１００に機械的に固定する。
【００２６】
図３を参照すると、本開示の一実施形態に従うエンドエフェクタアセンブリが、全体的にエンドエフェクタ３００として示される。エンドエフェクタアセンブリ３００は、鉗子１０および／または鉗子１００の遠位端に示される電極アセンブリ１０５と実質的に類似している。エンドエフェクタアセンブリ３００は、上部ジョー部材３１０と、下部ジョー部材３２０とを含む。ジョー部材３１０および３２０は、その間に脈管３０１を把持するために用いられる。ジョー部材３１０および３２０は、ＲＦエネルギーを脈管３０１に提供して脈管３０１を封鎖するために１つ以上の電極（図示されていない）を含み得る。
【００２７】
図３に示されるように、ジョー部材３１０は、機械的摂動をジョー部材３１０に与えるアクチベータ３０５を含む。アクチベータ３０５は、ジョー部材３１０に機械的または磁気的に連結され得る。例えば、アクチベータ３０５は、ジョー部材３１０の中に挿入される前にアクチベータ３０５に接着剤が塗布され得るか、またはアクチベータ３０５は、ジョー部材３１０に半田付けされ得る。さらに、アクチベータ３０５は、例えば、ジョー部材３１０における対応する機械的インターフェイスと協働するノッチまたは突起部などの機械的インターフェイスを有し得る。図示されていないが、アクチベータ３０５はまた、ジョー部材３２０またはジョー部材３１０および３２０の両方に含まれ得る。アクチベータ３０５は、ジョー部材３２０に対する、ジョー部材３１０を通って規定される長手方向軸「Ａ」に沿う、ジョー部材３１０の前進および／または後退の動きを提供する（図３の矢印「Ｘ」を参照されたい）。ジョー部材３１０と３２０との互いに対する前進および／または後退の動きは、圧縮力および剪断力により脈管３０１を変形させる。圧縮力および剪断力の印加は、脈管３０１の内層３０２の破壊を引き起こし、この破壊は、封鎖サイクル中、エラスチンおよび／またはコラーゲンを解放し混合する。
【００２８】
剪断力は、長手方向軸「Ａ」に沿うジョー部材３１０の動きによって生成される。内層３０２の最大変形は、圧縮された脈管の湾曲が最大である場合に起る（３０７）。剪断力は、領域３０７を広げ、内層３０２の破壊を加速し、ならびに内層に配置されるエラスチンおよびコラーゲンの解放を加速する。さらに、ジョー部材３２０の前進および後退の動きによって組織に生成される脈管３０１の内壁間の摩擦は、内層３０２の破壊の一因となる。
【００２９】
アクチベータ３０５は、アクチュエータ３３０に機械的、電気的、または磁気的に連結され得る。アクチュエータ３３０は、モータ、電磁石、またはアクチベータ３０５に動きを与え、それによって、軸「Ｘ」に沿う長手方向にアクチベータ３０５を動かす任意の他のデバイスであり得る。アクチュエータ３３０は、発電機５００によって制御され得るか、またはユーザによって制御され得る。
【００３０】
発電機５００は、メモリ５１０と、プロセッサ５２０とを含む。メモリ５１０は、プロセッサ５２０によって実行される脈管封鎖手順を行うプログラムまたはルーチンを格納し得る。発電機５００は、メモリ５１０に格納されているプログラムまたはルーチンに従ってエンドエフェクタアセンブリ３００に電気外科エネルギーを提供する。発電機５００はまた、メモリ５１０に格納されているプログラムまたはルーチンに従ってアクチュエータ３３０を制御する。封鎖が完了する前に外組織層を損傷することを避けるために、発電機５００は、アクチュータ３３０を制御して、アクチベータ３０５の動きを制限する。
【００３１】
図４を参照すると、本開示の別の実施形態に従うエンドエフェクタアセンブリが、全体的に４００として示される。エンドエフェクタアセンブリ４００は、上部ジョー部材４１０と、下部ジョー部材４２０とを含む。上部ジョー部材４１０は、トランスデューサ４０５を含み、トランスデューサ４０５は、エネルギー源４３０から電気エネルギーを受け取り、電気エネルギーを超音波に変換して、機械的摂動をジョー部材４１０に与える。エネルギー源４３０は、スタンドアロンユニットであり得るか、鉗子１０もしくは鉗子１００に組み込まれ得るか、または発電機５００に含まれ得る。
【００３２】
トランスデューサ４０５は、ジョー部材４１０に機械的または磁気的に連結され得る。
例えば、トランスデューサ４０５は、ジョー部材４１０の中に挿入される前にトランスデューサ４０５に接着剤が塗布され得るか、またはトランスデューサ４０５は、ジョー部材４１０に半田付けされ得る。さらに、トランスデューサ４０５は、例えば、ジョー部材４１０における対応する機械的インターフェイスと協働するノッチまたは突起部などの機械的インターフェイスを有し得る。
【００３３】
トランスデューサ４０５によって提供される超音波は、上部ジョー部材４１０に周期的な動きを引き起こし、結果として、脈管３０１の内層３０２の付加的な加熱および破壊をもたらす。トランスデューサ４０５は、上部ジョー部材３１０、下部ジョー部材３２０または両方のジョー部材に位置を定められ得る。
【００３４】
上記に説明されたように、発電機５００は、メモリ５１０と、プロセッサ５２０とを含む。メモリ５１０は、プロセッサ５２０によって実行される脈管封鎖手順を行うプログラムまたはルーチンを格納し得る。発電機５００は、メモリ５１０に格納されているプログラムまたはルーチンに従ってエンドエフェクタアセンブリ４００に電気外科エネルギーを提供する。発電機５００はまた、メモリ５１０に格納されているプログラムまたはルーチンに従ってエネルギー源４３０を制御する。封鎖が完了する前に外側組織層を損傷することを避けるために、発電機５００は、エネルギー源４３０を制御して、トランスデューサ４０５の周期的な動きの振幅を制限する。
【００３５】
本開示のいくつかの実施形態が、図面に示されかつ／または本明細書において考察されたが、本開示がそれらの実施形態に限定されることは意図されないで、開示の範囲は技術が許容される限りできるだけ広くあるべきこと、および明細書は同様に読まれるべきことが意図される。従って、上記の説明は、限定することとしてではなく、単に特定の実施形態の例証として解釈されるべきである。特許請求の範囲は、ハードウェア、ソフトウェア、またはこれらの組み合わせにおける複数の実施形態を包含し得る。当業者は、本明細書に添付された特許請求の範囲の範囲および精神内における他の修正形態を想定する。
【符号の説明】
【００３６】
１０  双極鉗子
１２  シャフト
２０  ハウジング
３０  ハンドルアセンブリ
４０  ハンドル
５０  固定ハンドル
７０  ナイフアクチュエータ
８０  回転アセンブリ
１０５  電気アセンブリ
１１０  ジョー部材
１２０  ジョー部材
【図１】
2012239899.tif 000003
【図２】
2012239899.tif 000004
【図３】
2012239899.tif 000005
【図４】
2012239899.tif 000006